(57)【特許請求の範囲】
【請求項１】
他のコネクタと接続される接続端子が設けられているコネクタであって、
固定接点と、
可動板の一方の端部に設けられた可動接点と、
前記可動板を動作させるカードと、
前記カードを動作させるボタンと、
前記ボタンを動作させるスライド部と、
前記可動接点と前記固定接点とが接触しているときに前記ボタンに接触するバネ部を有する開離バネと、
を有し、
前記接続端子と前記可動接点または前記固定接点とが接続されており、
前記他のコネクタにおける他の接続端子と前記接続端子とを接触させた状態で、
前記他のコネクタの一部と前記スライド部とを接触させ、前記他のコネクタの一部により前記スライド部を押して、前記スライド部をスライドさせることにより、前記ボタンを動作させ、
前記ボタンが動作することにより、前記カードを介し前記可動板が動作して前記固定接点と前記可動接点とを接触させ、前記バネ部が前記ボタンに接触して前記ボタンの移動を制限し、前記カードの位置が維持され、前記固定接点と前記可動接点との接触が維持されることを特徴とするコネクタ。
【請求項２】
前記固定接点及び前記可動接点は、各々複数設けられていることを特徴とする請求項１に記載のコネクタ。
【請求項３】
前記スライド部の一方の側には、前記コネクタに接続される前記他のコネクタ筐体と接触する部分に傾斜部が形成されており、
前記他のコネクタ筐体により前記傾斜部が押され前記スライド部がスライドし、前記ボタンを動作させることを特徴とする請求項１または２に記載のコネクタ。
【請求項４】
前記スライド部には、前記バネ部を押す凸部が設けられており、
前記コネクタと前記他のコネクタとが離れる際には、前記スライド部が前記バネ部を押し、前記バネ部が前記ボタンを押さえている状態が解除され、前記カードを介し前記可動板が動作して前記固定接点と前記可動接点とが離れることを特徴とする請求項１から３のいずれかに記載のコネクタ。
【請求項５】
前記コネクタは、ジャックコネクタであって、
前記接続端子は、ジャック端子であって、
前記他のコネクタは、プラグコネクタであって、
前記他の接続端子は、プラグ端子であることを特徴とする請求項１から４のいずれかに記載のコネクタ。
【請求項６】
請求項１から５のいずれかに記載のコネクタと、
前記他のコネクタと、
を有することを特徴とするコネクタ。
【発明の詳細な説明】
【技術分野】
【０００１】
本発明は、コネクタに関する。
【背景技術】
【０００２】
電気機器は電源より電力の供給を受け動作するものであり、電源より電力の供給を受ける際には、通常コネクタを介し電源より電気機器へ電力が供給される。この際用いられるコネクタは、特許文献１、２に開示されているように、凸状の雄型タイプのコネクタと、凹状の雌型タイプのコネクタを嵌合することにより、電気的に接続を行うものである。
【０００３】
一方、近年では、地球温暖化等に対する対策の一つとして、ローカルエリアにおける送電においても、電圧変換や送電等における電力損失が少なく、ケーブルの太さも太くする必要のない、直流で高電圧の電力の供給が検討されている。特に、サーバ等の情報機器においては、大量に電力を消費するため、このような電力供給が望ましいものとされている。
【０００４】
ところで、電気機器に供給される電力に関しては、電圧が高いと人体に影響を及ぼす場合や、電子部品の動作に影響を与える場合がある。
【０００５】
このような高電圧の電力をサーバ等の情報機器に用いる場合、装置の設置やメンテナンスの際においては、人により作業が行われるため、電気的接続がされている部分であるコネクタは、通常の交流の商用電源に用いられるコネクタとは異なるものとする必要がある。
【先行技術文献】
【特許文献】
【０００６】
【特許文献１】特開平５−８２２０８号公報
【特許文献２】特開２００３−３１３０１号公報
【特許文献３】特開２０１２−１０４４４８号公報
【発明の概要】
【発明が解決しようとする課題】
【０００７】
スイッチを組み込んだ構成のコネクタでは、電源から供給される電圧が１００Ｖ以上の場合、または、高電圧で直流である場合、現在使用されているスイッチをそのまま用いることはできない。例えば、電源から供給される電力が直流４００Ｖの場合、現在の交流１００Ｖに用いられているスイッチでは、十分な安全性や信頼性が確保されていないため、そのまま使用することは危険である。
【０００８】
よって、本発明は、上記に鑑みてなされたものであり、高電圧の電力を安全に供給することが可能なコネクタを提供することを目的とするものである。
【課題を解決するための手段】
【０００９】
本実施の形態の一観点によれば、他のコネクタと接続される接続端子が設けられているコネクタであって、固定接点と、可動板の一方の端部に設けられた可動接点と、前記可動板を動作させるカードと、前記カードを動作させるボタンと、前記ボタンを動作させるスライド部と、前記可動接点と前記固定接点とが接触しているときに前記ボタンに接触するバネ部を有する開離バネと、を有し、前記接続端子と前記可動接点または前記固定接点とが接続されており、前記他のコネクタにおける他の接続端子と前記接続端子とを接触させた状態で、前記他のコネクタの一部と前記スライド部とを接触させ、前記他のコネクタの一部により前記スライド部を押して、前記スライド部をスライドさせることにより、前記ボタンを動作させ、前記ボタンが動作することにより、前記カードを介し前記可動板が動作して前記固定接点と前記可動接点とを接触させ、前記バネ部が前記ボタンに接触して前記ボタンの移動を制限し、前記カードの位置が維持され、前記固定接点と前記可動接点との接触が維持されることを特徴とする。
【発明の効果】
【００１０】
本発明によれば、現状の商用電源の電圧よりも高い電圧の電源、または、直流電源に対応したコネクタであって、これらの電源からの電力を安全に供給することが可能なコネクタを提供することができる。
【図面の簡単な説明】
【００１１】
【図１】本実施の形態に用いられるプラグコネクタの斜視図
【図２】本実施の形態におけるプラグコネクタの斜視図
【図３】プラグコネクタとジャックコネクタとが接続される前の斜視図
【図４】プラグコネクタとジャックコネクタとが接続される前の断面図（１）
【図５】プラグコネクタとジャックコネクタとが接続される前の断面図（２）
【図６】プラグコネクタとジャックコネクタとが接続される前の断面図（３）
【図７】本実施の形態におけるジャックコネクタの内部構造の斜視図
【図８】スイッチ部の構造図（オフ状態）
【図９】スイッチ部の構造図（オン状態）
【図１０】スイッチ部におけるボタンの斜視図
【図１１】本実施の形態におけるジャックコネクタの内部構造の断面斜視図
【図１２】スライド部の斜視図（１）
【図１３】スライド部の斜視図（２）
【図１４】開離バネの斜視図
【図１５】開離バネの構造の説明図
【図１６】スライド部及びボタンにおける動きの説明図（１）
【図１７】スライド部及びボタンにおける動きの説明図（２）
【図１８】図１７の要部拡大図
【図１９】スライド部及びボタンにおける動きの説明図（３）
【図２０】図１９の要部拡大図
【図２１】スライド部及びボタンにおける動きの説明図（４）
【図２２】プラグコネクタとジャックコネクタとの接続途中における斜視図
【図２３】プラグコネクタとジャックコネクタとの接続途中における断面図（１）
【図２４】プラグコネクタとジャックコネクタとの接続途中における断面図（２）
【図２５】プラグコネクタとジャックコネクタとの接続途中における断面図（３）
【図２６】プラグコネクタとジャックコネクタとが接続されている斜視図
【図２７】プラグコネクタとジャックコネクタとが接続されている断面図（１）
【図２８】プラグコネクタとジャックコネクタとが接続されている断面図（２）
【図２９】プラグコネクタとジャックコネクタとが接続されている断面図（３）
【図３０】プラグコネクタとジャックコネクタとが離れる途中の斜視図
【図３１】プラグコネクタとジャックコネクタとが離れる途中の断面図（１）
【図３２】プラグコネクタとジャックコネクタとが離れる途中の断面図（２）
【図３３】プラグコネクタとジャックコネクタとが離れる途中の断面図（３）
【発明を実施するための形態】
【００１２】
本発明を実施するための形態について、以下に説明する。尚、同じ部材等については、同一の符号を付して説明を省略する。
【００１３】
（コネクタの構造）
本実施の形態におけるコネクタの構造について説明する。本実施の形態におけるコネクタは、図１に示される他のコネクタであるプラグコネクタと接続されるものであって、図２に示される構造のジャックコネクタに相当する。他のコネクタであるプラグコネクタには複数のプラグ端子が設けられており、ジャックコネクタにはプラグ端子と接続される複数のジャック端子が設けられている。
【００１４】
尚、本実施の形態においては、図１に示されるプラグコネクタと、図２に示されるジャックコネクタに相当するコネクタとをあわせてコネクタと記載する場合がある。
【００１５】
図３は、プラグコネクタとジャックコネクタとの嵌合前の状態における斜視図であり、図４から図６は、プラグコネクタとジャックコネクタとの嵌合前の状態における異なる断面の断面斜視図である。図７は、ジャックコネクタの内部の構造を示す斜視図である。
【００１６】
最初に、図１に基づきプラグコネクタ１００について説明する。プラグコネクタ１００には、プラグ筐体部１１０において、後述するジャックコネクタ２００に挿入されるプラグ端子１２１、１２２、１２３が設けられている。また、プラグ筐体部１１０のプラグ端子１２１、１２２、１２３が設けられている側とは反対側には、電力を供給する電源ケーブル１３０が接続される。プラグコネクタ１００には、プラグ端子１２１、１２２、１２３の周囲を囲むよう、縁部１１１が形成されている。尚、プラグ端子１２１はＧＮＤ端子であり、プラグ端子１２２、１２３よりも長く形成されている。プラグ筐体部１１０は樹脂材料等の絶縁材料により形成されており、縁部１１１はプラグ筐体部１１０の一部として形成されている。
【００１７】
次に、図２から図７に基づきジャックコネクタ２００について説明する。ジャックコネクタ２００は、ジャック筐体部２１０を有している。ジャック筐体部２１０には、ジャック開口部２２１、２２２、２２３が設けられている。ジャックコネクタ２００においては、ジャック開口部２２１、２２２、２２３の内部に、図７等に示されるように、プラグコネクタ１００のプラグ端子１２１、１２２、１２３と接続されるジャック端子２３１、２３２、２３３が設けられている。
【００１８】
プラグ端子１２１はジャック端子２３１と接続され、プラグ端子１２２はジャック端子２３２と接続され、プラグ端子１２３はジャック端子２３３と接続される。また、ジャック開口部２２１、２２２、２２３の周囲には、プラグコネクタ１００の縁部１１１が入り込むことのできる溝部２１１が形成されている。尚、ジャック端子２３１はＧＮＤ端子である。
【００１９】
また、本実施の形態におけるジャックコネクタ２００は、ジャック筐体部２１０の内部に、後述する図８及び図９に示されるスイッチ部３００を有している。スイッチ部３００には、ジャック端子２３２に対応する金属端子と、ジャック端子２３３に対応する金属端子が設けられている。スイッチ部３００に設けられた接点が閉じることにより、各々のジャック端子２３２、２３３とこれに対応する金属端子とが電気的に接続され、電力が供給される。また、スイッチ部３００の接点が開くことにより、各々のジャック端子２３２、２３３とこれに対応する金属端子との電気的な接続が解除され、電力の供給が停止する。
【００２０】
本実施の形態においては、図７から図９に示されるボタン３６０の押下により、スイッチ部３００の接点が閉じ電力が供給される。この際、ジャックコネクタ２００の内部に設けられたスライド部２５０がスライド動作することにより、スライド部２５０によりボタン３６０が下方に押され、スイッチ部３００の接点が閉じ、ジャック端子２３２、２３３を介しプラグコネクタ１００に電力が供給される。尚、図４から図６の状態においては、スライド部２５０は図示左側に位置しており、これは接点が開いている状態に対応する。接点が閉じる際には、スライド部２５０は図示右側に位置している。
【００２１】
（スイッチ部）
次に、図８及び図９に基づき、ジャックコネクタ２００内に設けられているスイッチ部３００について説明する。本実施の形態におけるスイッチ部３００は電力の供給の制御を行なうためのスイッチである。尚、スイッチ部３００の固定部３１０と可動部３２０の対は、ジャック端子２３２、２３３の各々に対応して設けられており、合わせて２つ設けられている。
【００２２】
図８及び図９に示されるように、スイッチ部３００は、固定接点３１１を備える固定部３１０と可動接点３２１を備える可動部３２０とを有し、固定接点３１１と可動接点３２１とが接触するか否かにより、電源の供給のオン、オフの制御を行なうことができるものである。
【００２３】
固定部３１０は、全体が金属等の導電性材料により形成されており、可動接点３２１と接触する固定接点３１１が固定バネ３１２の一方の端部に設けられている構造のものである。尚、固定バネ３１２は、銅又は銅を含む合金等からなる金属板等を折曲げることにより形成されており、固定接点３１１は銀と銅の合金により形成されている。固定バネ３１２の他方の端部はベースブロック３３０に固定されるとともに、固定バネ３１２の中程の部分は、ベースブロック３３０に設けられている固定部支持部３３２に支持され固定されている。
【００２４】
可動部３２０は、全体が金属等の導電性材料により形成されており、固定接点３１１と接触する可動接点３２１が可動板３２２の一方の端部に設けられ、可動板３２２の他方の端部と可動バネ３２３の一方の端部とが接続された構造のものである。尚、可動板３２２及び可動バネ３２３は銅又は銅を含む合金等からなる金属板等を折曲げることにより形成されており、可動接点３２１は銀と銅の合金により形成されている。可動バネ３２３の他方の端部はベースブロック３３０に固定されている。可動バネ３２３は、金属板等を折曲げることにより形成されているものであるため柔軟性を有しており、可動板３２２に設けられた可動接点３２１を上下方向に動かすことが可能である。また、ベースブロック３３０には、固定バネ３１２の他方の端部が接続されている部分と、可動バネ３２３の他方の端部が接続されている部分との間に難燃性の樹脂材料等からなる絶縁壁３３３が設けられており、可動バネ３２３は、他方の端部より絶縁壁３３３の周囲の一部を回り込むような形状で曲げられている。
【００２５】
可動板３２２の上面は、第１の接触部となるカード３４０の上部接触部３４１と接触している。可動板３２２の下面は、第２の接触部となるカード３４０の下部接触部３４２と接触している。回転軸３４３を中心にカード３４０を回転させることにより、可動板３２２が上部接触部３４１または下部接触部３４２と接触した状態で可動板３２２に力が加わり、可動接点３２１を上下方向に移動させることができる。尚、上部接触部３４１及び下部接触部３４２は可動板３２２において摺動するので、摩擦抵抗を低減させるために上部接触部３４１及び下部接触部３４２の表面には、フッ素樹脂等により形成された表面層を設けてもよい。
【００２６】
また、固定部３１０及び可動部３２０は、ベースブロック３３０とスイッチ部３００のスイッチ部ケース３５０に囲まれた領域の内部に設置されている。カード３４０は、スイッチ部ケース３５０に設けられたスイッチ部開口部３５１より外部に飛び出した形状の突起部３４４と、ベースブロック３３０とスイッチ部ケース３５０に囲まれた領域の内部に位置するカード本体部３４５とを有している。従って、上部接触部３４１または下部接触部３４２は、ベースブロック３３０とスイッチ部ケース３５０に囲まれた領域の内部に設けられている。また、カード３４０、ベースブロック３３０及びスイッチ部ケース３５０は樹脂材料等からなる絶縁体材料により形成されている。
【００２７】
スイッチ部ケース３５０の外部には、回転軸３４３を中心にカード３４０を回転させるために押下されるボタン３６０が設けられている。カード３４０は、カード３４０の突起部３４４の上部に設けられた接触部３４４ａにおいて、ボタン３６０の内壁部３６１と接触している。尚、接触部３４４ａは内壁部３６１の表面を摺動するので、摩擦抵抗を低減させるために内壁部３６１の表面にフッ素樹脂等により形成された表面層を設けてもよい。また、スイッチ部ケース３５０の外部には、一方の端部がスイッチ部ケース３５０に接続され、他方の端部がボタン３６０に接続された開離バネ３７０が設けられている。
【００２８】
図１０はボタン３６０の斜視図である。本実施の形態においては、ボタン３６０の上側には、図１０にも示されているボタン突起部３６５が形成されている。ボタン突起部３６５は、下部平坦部３６９より、図１０図示上方に飛び出した構造のものであり、ボタン突起部３６５の上部は上部平坦部３６６となっており平坦に形成されている。ボタン突起部３６５の上部平坦部３６６より下部平坦部３６９に向かう面には、傾斜が急な急傾斜部３６７と傾斜が緩やかな緩傾斜部３６８とが形成されている。また、ボタン３６０の両側の端の各々には、ボタン引っ掛け部３６４が設けられている。ボタン引っ掛け部３６４は、下部に逆ハの字に形成された斜面が設けられており、逆ハの字に形成された斜面が、側部バネ部３７２の側部バネ傾斜部３７２ｂに接触して、側部バネ部３７２を外側に押し広げることができるように形成されている。
【００２９】
（スライド部）
次に、スライド部２５０について、図７、図１１、図１２、図１３に基づき説明する。尚、図１１は、ジャックコネクタの内部の構造を示す断面斜視図であり、図１２、図１３は、スライド部２５０の斜視図である。
【００３０】
本実施の形態においては、プラグコネクタの挿入によってジャックコネクタ２００の内部に設けられたスライド部２５０がスライド動作することによりボタン３６０が押され、スイッチ部３００の接点がオン動作となる。
【００３１】
スライド部２５０の一方の面（図７図示の上面、図１３図示の面）には、上側突起部２５１が形成されている。上側突起部２５１の上端には平坦な上面部２５２が形成されており、上面部２５２の端から下側に向かって傾斜しているスライド傾斜部２５３が形成されている。スライド傾斜部２５３の傾斜面は、下側の端の傾斜端部２５４まで形成されている。また、スライド部２５０の他方の面（図１２図示の面）には、下側突起部２５６が形成されている。図１２に示すように、下側突起部２５６は半円形状に形成されており、半円形状より図面において右上方向に張出している張出部２５７が形成されている。尚、下側突起部２５６と張出部２５７とは、頂となる部分の高さが同じ高さとなるように形成されている。
【００３２】
本実施の形態においては、図７及び図１１に示される状態でジャックコネクタ２００にプラグコネクタ１００が挿入されることにより、プラグコネクタ１００の縁部１１１がスライド傾斜部２５３に接触し、縁部１１１が下降するにつれてスライド傾斜部２５３が押される。これにより、スライド部２５０が図７図示右方向にスライドし、縁部１１１とスライド部２５０の傾斜端部２５４とが接触するまでスライド部２５０がスライドした後、スライド部２５０のスライドは終了する。
【００３３】
尚、スライド部２５０のスライドに応じて、スライド部２５０によりボタン３６０が押下され、これによりカード３４０が下方に回転する。この後、プラグコネクタ１００の縁部１１１がプラグ端子１２１、１２２、１２３とともに更にジャックコネクタ２００の内部に入り込むことにより、スイッチ部３００の接点がオンとなり、プラグコネクタ１００に電力の供給がなされる。
【００３４】
前述したように、本実施の形態においては、図１０に示されるように、ボタン３６０の両側にボタン引っ掛け部３６４が設けられている。また、図１２及び図１３に示されるように、スライド部２５０の下側突起部２５６が設けられている側の両側には、スライド部凸部２５８が設けられている。スライド部凸部２５８は、先端に向かって尖った三角形の形状で形成されており、中央部分より手前側及び奥側に向かって次第に幅が狭くなるように傾斜している。
【００３５】
開離バネ３７０には、図１４及び図１５に示されるように、中央部分にボタン３６０を上げるための中央バネ部３７１が設けられており、両側の各々に側部バネ部３７２が設けられている。側部バネ部３７２には、開離バネ３７０の基部から上方に延びている部分を内側に凸状に曲げられた側部バネ突起部３７２ａ、側部バネ突起部３７２ａから外側に傾斜している側部バネ傾斜部３７２ｂ、側部バネ突起部３７２ａの端部近傍に曲面部３７２ｃが形成されている。開離バネ３７０の２つの側部バネ突起部３７２ａの間隔は、ボタン３６０の２つのボタン引っ掛け部３６４の端部間の間隔よりも狭い。一方、２つの側部バネ部３７２の側部バネ突起部３７２ａよりも下の部分の間隔は、２つのボタン引っ掛け部３６４の端部間の間隔よりも広い。尚、図１４は、開離バネ３７０の斜視図であり、図１５（ａ）は、開離バネ３７０の正面図であり、図１５（ｂ）は、開離バネ３７０の側部バネ部３７２が形成されている部分の拡大図である。
【００３６】
本実施の形態において、スイッチ部３００の接点がオフとなっている状態では、図２１に示されるように、開離バネ３７０のバネ力によってボタン３６０が上方に位置しており、ボタン３６０のボタン引っ掛け部３６４が開離バネ３７０の側部バネ突起部３７２ａよりも上の位置にある。ボタン３６０が上方に位置しているため、可動板３２２を押し下げる力も働かず、可動接点３２１と固定接点３１１とは接触していない。
【００３７】
この後、プラグコネクタ１００をジャックコネクタ２００に挿入することにより、プラグコネクタ１００の縁部によってスライド部２５０が押されて、図２１図示奥方向にスライド部２５０がスライドする。スライド部２５０がスライドした状態を図２１に示す。スライド部２５０の図示奥方向へのスライドに伴い、ボタン３６０がスライド部２５０に押されて次第に下降する。この際、ボタン３６０のボタン引っ掛け部３６４の下部に逆ハの字に形成された斜面が側部バネ部３７２の側部バネ傾斜部３７２ｂに接触して、側部バネ部３７２を次第に外側に押し広げる。
【００３８】
この後、プラグコネクタ１００をジャックコネクタ２００に更に挿入することにより、スライド部２５０が更に図１９図示奥方向にスライドし、ボタン３６０が更に下降する。スライド部２５０が更に図示奥方向に移動した状態を図１７及び図１８に示す。尚、図１８は、図１７の要部拡大図であり、図２０は、図１９の要部拡大図である。図１７の状態では、両ボタン引っ掛け部３６４の端部が側部バネ突起部３７２ａよりも下側の位置に移動する。これによって、図１９の状態ではボタン引っ掛け部３６４によって押し広げられていた側部バネ部３７２がそのばね力で内側に戻ろうとする。なお、図１７の状態では、側部バネ傾斜部３７２ｂがスライド部凸部２５８に接触しており、２つの側部バネ部３７２の間隔がスライド部凸部２５８によって若干広下られている。
【００３９】
この後、プラグコネクタ１００がジャックコネクタ２００に挿入されると、図１６の状態となり、スライド部２５０が図１６図示の最も奥の位置にくる。この状態ではボタン３６０が押し込まれているので、ボタン３６０により可動板３２２が下方に移動し、スイッチ部３００の接点がオンとなる。なお、図１６の状態では、側部バネ傾斜部３７２ｂとスライド部凸部２５８との接触状態が解消されているので、２つの側部バネ部３７２は図１７の状態よりも更に内側に戻る。このため、側部バネ突起部３７２ａの下部が、ボタン引っ掛け部３６４の上面に接触し、側部バネ突起部３７２ａによってボタン引っ掛け部３６４の上面が押さえられている状態になる。従って、ボタン引っ掛け部３６４が側部バネ突起部３７２ａによって押さえられているボタン３６０が図１６図示の状態から上方に移動することが防止され、スイッチ部３００の接点のオン状態が維持される。
【００４０】
次にスイッチ部３００の接点がオフとなる場合の動作について説明する。
【００４１】
図１６の状態からプラグコネクタ１００をジャックコネクタ２００から引き抜くことにより、図１７に示されるように、スライド部２５０がバネの付勢力によって次第に図１７図示手前方向へのスライドを開始する。これに合わせ、スライド部凸部２５８が曲面部３７２ｃあるいは側部バネ傾斜部３７２ｂと接触し、側部バネ部３７２を外側に押す。これにより、側部バネ部３７２の両側に設けられた側部バネ突起部３７２ａの間隔が少し広がるが、側部バネ突起部３７２ａがボタン引っ掛け部３６４の上面に接している状態は図１７では維持されているため、ボタン３６０が上がることはなく、スイッチ部３００の接点がオンとなっている状態が維持されている。
【００４２】
この後、更に、プラグコネクタ１００をジャックコネクタ２００から引き抜くことにより、図１９に示されるように、スライド部２５０が更に図１９図示手前方向にスライドし、スライド部２５０のスライド部凸部２５８が、側部バネ部３７２の曲面部３７２ｃあるいは側部バネ傾斜部３７２ｂを更に外側に押す。これにより、２つの側部バネ突起部３７２ａの間隔が更に広がり、ボタン引っ掛け部３６４と側部バネ突起部３７２ａとの接触状態が解消され、ボタン３６０を押さえる力がなくなる。また、スライド部２５０の図示手前方向への移動により、スライド部２５０がボタン３６０を押さえている状態も解消されるため、中央バネ部３７１の復元力により、ボタン３６０が勢いよく上げられ、図２１に示される状態になる。これによってスイッチ部３００の接点が瞬時にオフとなる。
【００４３】
本実施の形態においては、図１７に示されるように、側部バネ突起部３７２ａがボタン引っ掛け部３６４の上面に接触してボタン３６０が上から押さえられている状態から、図２１に示されるように、ボタン引っ掛け部３６４の上面に接触していた側部バネ突起部３７２ａが外れてボタン３６０が上方に復帰可能となった状態に、図１９に示される状態を経て瞬時に移行する。このため、スイッチ部３００の接点でのチャタリング等の問題を発生させることなくスイッチをオフにすることができる。
【００４４】
（スイッチ部におけるオンオフ動作）
スイッチ部３００において、スイッチをオンにする場合には、プラグコネクタ１００をジャックコネクタ２００に挿入する。これにより、ボタン３６０が押され、ボタン３６０の内壁部３６１に接触部３４４ａが接触しているカード３４０が回転軸３４３を中心に回転し、上部接触部３４１を介して可動板３２２に下方向に力が加えられ、可動接点３２１と固定接点３１１とが接触する。この状態を図９に示す。これにより、電源からの電力がプラグコネクタ１００の側に供給される。
【００４５】
また、スイッチをオフにする場合には、後述するように、ジャックコネクタ２００からプラグコネクタ１００を抜くことにより、ボタン３６０を押している力がなくなるため、開離バネ３７０の弾性による復元力により、ボタン３６０が上方に移動する。即ち、図９の状態から図８に示されるようにボタン３６０が上方に移動すると、ボタン３６０の内壁部３６１に上部接触部３４１が接触しているカード３４０が回転軸３４３を中心に図示反時計方向に回転し、下部接触部３４２を介し可動板３２２に上方向に力が加わる。このように可動板３２２に加えられた上方向の力により可動接点３２１と固定接点３１１との接触を離すことができ、電源からの電力の供給を停止することができる。この際、可動接点３２１と固定接点３１１との間でアークが発生する場合があるため、磁界の力によりアークを飛ばすことができるように、可動接点３２１と固定接点３１１との接触位置の近傍には、アークの発生する方向に対して略垂直方向の磁界を発生させる永久磁石３８０が設けられている。尚、開離バネ３７０の復元力により、ボタン３６０が元の状態、即ち、上に持ち上げられると、カード３４０も連動して上に持ち上げられ、固定接点３１１から可動接点３２１が離れる。カード３４０をボタン３６０に連動して上に持ち上げる際には、可動バネ３２３の復元力によりカード３４０を持ち上げるようにしてもよい。
【００４６】
また、ベースブロック３３０には、固定バネ３１２の他方の端部が接続されている部分と、可動バネ３２３の他方の端部が接続されている部分との間に絶縁壁３３３が設けられている。これにより、固定部３１０・可動部３２０で熱による溶解等が進行した場合においても、固定部３１０と可動部３２０とが絶縁壁３３３により分離されるため、固定部３１０と可動部３２０とが、溶解によってくっついた状態のまま電流が流れ続けてしまうことを防ぐことができる。
【００４７】
尚、ゴミ等がベースブロック３３０とスイッチ部ケース３５０に囲まれた領域に侵入すると、固定接点３１１と可動接点３２１との間でショートまたは接触不良となる場合がある。従って、スイッチ部３００がオフの状態では、スイッチ部３００内部へのゴミ等の侵入を防ぐため、スイッチ部開口部３５１を塞ぐようにカード３４０のカード本体部３４５の上面がスイッチ部開口部３５１に接触して押し当てられるように形成されている。これにより、スイッチ部３００がオフ状態において、スイッチ部開口部３５１からスイッチ部ケース３５０の内部にゴミ等が侵入することを防ぐことができる。
【００４８】
また、スイッチ部３００がオンの状態においてベースブロック３３０とスイッチ部ケース３５０に囲まれた領域へのゴミ等の侵入を防ぐため、スイッチ部開口部３５１近傍に壁部３５２が、ボタン３６０にコの字状の端部３６２がそれぞれ設けられている。スイッチ部３００がオン状態では、壁部３５２とボタン３６０の端部３６２とによりスイッチ部開口部３５１を覆うことができるように形成されており、壁部３５２と端部３６２により、ベースブロック３３０とスイッチ部ケース３５０に囲まれた領域を塞ぐことができる。これにより、スイッチ部３００がオン状態でも、スイッチ部開口部３５１からスイッチ部ケース３５０の内部にゴミ等が侵入することを防ぐことができる。
【００４９】
（コネクタの接続方法）
次に、本実施の形態におけるコネクタの接続方法について説明する。具体的には、図３から図６に示されるように、プラグコネクタ１００とジャックコネクタ２００とが離れている状態から、プラグコネクタ１００とジャックコネクタ２００とが嵌合し、電気的に接続される状態となるまでを順に説明する。尚、下記においては、特に図示されているプラグ端子１２１とジャック端子２３１及び、プラグ端子１２３とジャック端子２３３との接続状態について説明する。
【００５０】
図３から図６の状態では、ボタン３６０は３７２ａの上側に位置している。図３から図６に示す状態から、プラグ端子１２１、１２２、１２３をジャック開口部２２１、２２２、２２３に挿入することにより、図２２から図２５に示す状態となる。図２１は、図３から図６に示す状態におけるスライド部２５０、ボタン３６０、開離バネ３７０の関係を示しており、図１９は、図２２から図２５に示す状態におけるスライド部２５０、ボタン３６０、開離バネ３７０の関係を示している。尚、図２２は、この状態におけるプラグコネクタとジャックコネクタの斜視図である。また、図２３から図２５は、この状態におけるプラグコネクタとジャックコネクタの異なる断面の断面斜視図である。図２３は図４に対応する断面であり、図２４は図５に対応する断面であり、図２５は図６に対応する断面である。
【００５１】
これにより、プラグ端子１２１とジャック端子２３１とが接触し、プラグ端子１２３とジャック端子２３３とが接触する。この際、プラグコネクタ１００の縁部１１１もジャックコネクタ２００の溝部２１１に入り込み、スライド部２５０のスライド傾斜部２５３と接触する。但し、図２２から図２５の状態においては、上側突起部２５１のスライド傾斜部２５３はプラグコネクタ１００の縁部１１１の先端と接触しているだけであり、スライド部２５０は図示右方向にはスライド移動していない。尚、スライド部２５０には、外から力が加わらなければ元の状態（図３から図７の位置）を維持するように、図７及び図２１に記載されている弾性体となるコイルバネ２６０が接続されている。即ち、ジャックコネクタ２００においては、スライド部２５０が図３から図６に示す状態が維持される方向、即ち、図７においてスライド部２５０が左方向に動く方向に復元力が働くバネ等の弾性体が設けられている。
【００５２】
従って、図２２から図２５の状態においては、プラグ端子１２１とジャック端子２３１とが接触しており、プラグ端子１２３とジャック端子２３３とが接触している。しかしながら、スイッチ部３００の可動接点３２１と固定接点３１１とが接触していないため、スイッチ部３００はオフであり、プラグコネクタ１００側には電力は供給されない。尚、この状態においては、上述したように、スライド部２５０のスライド傾斜部２５３は、プラグコネクタ１００の縁部１１１の先端と接触している。また、スライド部２５０の下側突起部２５６の下端部は、ボタン３６０の下部平坦部３６９と接触している。
【００５３】
この後、図２２から図２５に示す状態から、プラグ端子１２１、１２２、１２３をジャック開口部２２１、２２２、２２３に更に挿入することにより、図２６から図２９に示す状態となる。図１６は、図２６から図２９に示す状態におけるスライド部２５０、ボタン３６０、開離バネ３７０の関係を示している。図２６は、この状態におけるプラグコネクタとジャックコネクタの斜視図である。また、図２７から図２９は、図２６の状態におけるプラグコネクタとジャックコネクタの異なる断面の断面斜視図である。図２７は図４に対応する断面であり、図２８は図５に対応する断面であり、図２９は図６に対応する断面である。
【００５４】
これにより、プラグ端子１２１はジャック端子２３１の奥に、ジャック端子２３１との接触が維持された状態のまま入り込む。また、プラグ端子１２３は、ジャック端子２３３の奥に、ジャック端子２３２との接触が維持された状態のまま入り込む。
【００５５】
この際、プラグコネクタ１００の縁部１１１もジャックコネクタ２００の溝部２１１の奥に入り込み、プラグコネクタ１００の押込みによってスライド部２５０のスライド傾斜部２５３が縁部１１１の先端部分により押される。このように縁部１１１の先端部分によりスライド傾斜部２５３が押されることにより、縁部１１１の先端部分が傾斜端部２５４に達するまで、スライド部２５０を図示右側にスライドさせる。図２８は、縁部１１１が傾斜端部２５４に達した状態を示している。
【００５６】
これにより、スライド部２５０の下側突起部２５６または張出部２５７はボタン３６０の急傾斜部３６７と接触し、更に、スライド部２５０が図示右側にスライドすることにより、下側突起部２５６または張出部２５７によってボタン３６０に下方向に力が加わり、ボタン３６０の上部平坦部３６６の上に下側突起部２５６及び張出部２５７が移動する。これにより、ボタン３６０が押され、カード３４０が回転することで、スイッチ部３００の可動接点３２１と固定接点３１１とが接触する。尚、プラグ端子１２３はジャック端子２３３とすでに接触しているので、スイッチ部３００の可動接点３２１と固定接点３１１とが接触することによって、ジャックコネクタ２００からプラグコネクタ１００側に電力が供給される。
【００５７】
次に、電力供給を停止する場合、つまりプラグコネクタ１００をジャックコネクタ２００から抜く場合について説明する。最初に、図２６から図２９に示す状態から、プラグコネクタ１００をジャックコネクタ２００から少し離すことにより、図３０から図３３に示す状態となる。図１７は、図３０から図３３に示す状態におけるスライド部２５０、ボタン３６０、開離バネ３７０の関係を示している。尚、図３０は、この状態におけるプラグコネクタとジャックコネクタの斜視図である。また、図３１から図３３は、この状態におけるプラグコネクタとジャックコネクタの異なる断面の断面斜視図である。図３１は図４に対応する断面であり、図３２は図５に対応する断面であり、図３３は図６に対応する断面である。
【００５８】
これにより、プラグコネクタ１００とジャックコネクタ２００とは少し離れるが、プラグ端子１２１とジャック端子２３１との接触は維持されており、同様に、プラグ端子１２３とジャック端子２３３との接触は維持されている。
【００５９】
この状態においては、プラグコネクタ１００の縁部１１１の先端かつ外側の部分は、スライド部２５０の傾斜端部２５４と接触している。このため、ボタン３６０は押されている状態にあり、スイッチ部３００の可動接点３２１と固定接点３１１との接触が維持されている。従って、この状態においては、プラグ端子１２１とジャック端子２３１との接触が維持され、プラグ端子１２３とジャック端子２３３との接触が維持されているため、プラグコネクタ１００側に電力が供給される。
【００６０】
この後、更に、プラグコネクタ１００をジャックコネクタ２００から抜くことにより、図２２から図２５に示す状態となる。図１９は、図２２から図２５に示す状態におけるスライド部２５０、ボタン３６０、開離バネ３７０の関係を示している。縁部１１１の先端が傾斜端部２５４と接触しない状態になると、スライド部２５０がバネ力によって図示左方向に復帰・スライドし始める。尚、以下の本段落の動作は、この動作を前提としている。この際、スライド部２５０における下側突起部２５６の張出部２５７が、ボタン３６０の急傾斜部３６７を滑るように移動する。これにより、ボタン３６０の下部平坦部３６９にスライド部２５０の下側突起部２５６が移動し、ボタン３６０を押している力が解除されるため、ボタン３６０は上に動き、元の位置に戻る。
【００６１】
このようにボタン３６０が元の位置に戻ることにより、スイッチ部３００の可動接点３２１と固定接点３１１とが離れ、可動接点３２１と固定接点３１１とが接触していない状態となる。この状態においては、プラグ端子１２３とジャック端子２３３との接触は維持されているものの、プラグコネクタ１００側への電力の供給は遮断される。
【００６２】
この後、更に、プラグコネクタ１００とジャックコネクタ２００とを離すことにより、図３から図６に示す状態となり、プラグ端子１２１とジャック端子２３１との接触及びプラグ端子１２３とジャック端子２３３との接触が離れる。図２１は、図３から図６に示す状態におけるスライド部２５０、ボタン３６０、開離バネ３７０の関係を示している。この際、プラグ端子１２１とジャック端子２３１との接触及び、プラグ端子１２３とジャック端子２３３との接触が離れる前には、既に、スイッチ部３００の可動接点３２１と固定接点３１１とが離れているため、プラグコネクタ１００への電力の供給が遮断されている。よって、プラグ端子１２１とジャック端子２３１との接触及び、プラグ端子１２３とジャック端子２３３との接触が離れる際にアーク等が発生することはない。
【００６３】
以上のように、本実施の形態においては、プラグコネクタ１００をジャックコネクタ２００から抜く際には、図１７に示されるように、側部バネ突起部３７２ａがボタン引っ掛け部３６４に引っかかっている状態から、図２１に示されるように、ボタン引っ掛け部３６４に引っかかっていた側部バネ突起部３７２ａが外れる状態に、図１９に示す状態を経て瞬時に移行する。これにより、ボタン３６０が瞬時に上方に移動し、スイッチ部３００の接点も瞬間的にオフとなるので、瞬時に電力の供給を遮断することができる。
【００６４】
以上、本発明の実施に係る形態について説明したが、上記内容は、発明の内容を限定するものではない。
【符号の説明】
【００６５】
１００      プラグコネクタ
１１０      プラグ筐体部
１１１      縁部
１２１      プラグ端子
１２２      プラグ端子
１２３      プラグ端子
１３０      電源ケーブル
２００      ジャックコネクタ
２１０      ジャック筐体部
２１１      溝部
２２１      ジャック開口部
２２２      ジャック開口部
２２３      ジャック開口部
２３１      ジャック端子
２３２      ジャック端子
２３３      ジャック端子
２５０      スライド部
２５１      上側突起部
２５２      上面部
２５３      スライド傾斜部
２５４      傾斜端部
２５６      下側突起部
２５７      張出部
２５８      スライド部凸部
３００      スイッチ部
３１０      固定部
３１１      固定接点
３１２      固定バネ
３２０      可動部
３２１      可動接点
３２２      可動板
３２３      可動バネ
３３０      ベースブロック
３３１      ベースブロック本体部
３３２      固定部支持部
３３３      絶縁壁
３４０      カード
３４１      上部接触部（第１の接触部）
３４２      下部接触部（第２の接触部）
３４３      回転軸
３４４      突起部
３４４ａ    接触部
３４５      カード本体部
３５０      スイッチ部ケース
３５１      スイッチ部開口部
３５２      壁部
３６０      ボタン
３６１      内壁部
３６２      端部
３６３      ボタン接触部
３６４      ボタン引っ掛け部
３６５      ボタン突起部
３６６      上部平坦部
３６７      急傾斜部
３６８      緩傾斜部
３６９      下部平坦部
３７０      開離バネ
３７１      中央バネ部
３７２      側部バネ部
３７２ａ    側部バネ突起部
３７２ｂ    側部バネ傾斜部
３７２ｃ    曲面部
３８０      永久磁石
【図１】
0006618817.tif 000002
【図２】
0006618817.tif 000003
【図３】
0006618817.tif 000004
【図４】
0006618817.tif 000005
【図５】
0006618817.tif 000006
【図６】
0006618817.tif 000007
【図７】
0006618817.tif 000008
【図８】
0006618817.tif 000009
【図９】
0006618817.tif 000010
【図１０】
0006618817.tif 000011
【図１１】
0006618817.tif 000012
【図１２】
0006618817.tif 000013
【図１３】
0006618817.tif 000014
【図１４】
0006618817.tif 000015
【図１５】
0006618817.tif 000016
【図１６】
0006618817.tif 000017
【図１７】
0006618817.tif 000018
【図１８】
0006618817.tif 000019
【図１９】
0006618817.tif 000020
【図２０】
0006618817.tif 000021
【図２１】
0006618817.tif 000022
【図２２】
0006618817.tif 000023
【図２３】
0006618817.tif 000024
【図２４】
0006618817.tif 000025
【図２５】
0006618817.tif 000026
【図２６】
0006618817.tif 000027
【図２７】
0006618817.tif 000028
【図２８】
0006618817.tif 000029
【図２９】
0006618817.tif 000030
【図３０】
0006618817.tif 000031
【図３１】
0006618817.tif 000032
【図３２】
0006618817.tif 000033
【図３３】
0006618817.tif 000034